(57)【要約】【課題】ユーザの特性に適した操作環境を構成することができる操作装置を提供する。【解決手段】操作装置１は、車両８に配置され、操作面３０ａになされた操作を受け付ける操作部２と、ユーザの特性に応じて少なくとも表示画面８７０の構成と操作部２に対する操作方法とを含む操作環境を構成する制御部６と、を備えて概略構成されている。この操作装置１は、ユーザの特性に適した操作環境を構成することができるので機能性が良い。【選択図】図４
2020157925.tif 000002
【特許請求の範囲】
【請求項１】
車両に配置され、操作面になされた操作を受け付ける操作部と、
ユーザの特性に応じて少なくとも表示画面の構成と前記操作部に対する操作方法とを含む操作環境を構成する制御部と、
を備えた操作装置。
【請求項２】
前記制御部は、前記車両の機能に関する認知が低いユーザに対しては、前記表示画面の構成を認知し易い文字メニューを中心とした操作環境を構成する、
請求項１に記載の操作装置。
【請求項３】
前記制御部は、認知能力が低下しているユーザに対しては、前記操作部に対する単押し操作のみで操作可能な操作環境を構成する、
請求項１又は２に記載の操作装置。
【請求項４】
前記制御部は、効率的な操作を求めるユーザに対しては、タスクが書き込まれた複数のカードを利用した操作環境を構成する、
請求項１乃至３のいずれか１項に記載の操作装置。
【請求項５】
前記制御部は、自分なりの操作環境を作りたいユーザに対しては、カスタマイズ可能な操作環境を構成する、
請求項１乃至４のいずれか１項に記載の操作装置。
【請求項６】
前記制御部は、前記ユーザの特性に応じて前記操作環境を機能制限ありとなしを与える、
請求項１乃至５のいずれか１項に記載の操作装置。
【請求項７】
前記制御部は、前記機能制限ありの場合、機能が制限されるのは、目的限定、操作内容限定である、
請求項６に記載の操作装置。
【請求項８】
前記制御部は、前記機能制限なしの場合、登録及び削除を行うことができる、
請求項６又は７に記載の操作装置。
【発明の詳細な説明】
【技術分野】
【０００１】
本発明は、操作装置に関する。
【背景技術】
【０００２】
従来の技術として、車両に設けられ、運転手の操作による入力内容を該車両内に設けられた表示部に表示する入力装置が知られている（例えば、特許文献１参照。）。
【０００３】
この入力装置は、車両のステアリングホイールに設けられたタッチパッドを備えている。
【先行技術文献】
【特許文献】
【０００４】
【特許文献１】特開２０１８−１２７０１３号公報
【発明の概要】
【発明が解決しようとする課題】
【０００５】
ユーザによって操作スキルなどに差がある場合、一律で同じ操作環境であると、操作性が悪かったり、物足りなかったりして操作性に問題が生じる可能性がある。
【０００６】
従って本発明の目的は、ユーザの特性に適した操作環境を構成することができる操作装置を提供することにある。
【課題を解決するための手段】
【０００７】
本発明の一態様は、車両に配置され、操作面になされた操作を受け付ける操作部と、ユーザの特性に応じて少なくとも表示画面の構成と操作部に対する操作方法とを含む操作環境を構成する制御部と、を備えた操作装置を提供する。
【発明の効果】
【０００８】
本発明によれば、ユーザの特性に適した操作環境を構成することができる。
【図面の簡単な説明】
【０００９】
【図１】図１（ａ）は、実施の形態に係る車両内部の一例を示す概略図であり、図１（ｂ）は、制御システムのブロック図の一例である。
【図２】図２（ａ）は、実施の形態に係る表示装置の表示画面の一例を示す概略図であり、図２（ｂ）は、ステアリングの一例を示す概略図である。
【図３】図３（ａ）は、実施の形態に係る左側のタッチパッドユニットの一例を示す概略図であり、図３（ｂ）は、右側のタッチパッドユニットの一例を示す概略図である。
【図４】図４（ａ）〜図４（ｄ）は、実施の形態に係る操作装置がエントリーユーザに提供する操作環境の一例を説明するための概略図である。
【図５】図５（ａ）及び図５（ｂ）は、実施の形態に係る操作装置がシニアユーザに提供する操作環境の一例を説明するための概略図である。
【図６】図６（ａ）〜図６（ｄ）は、操作装置がデジタルネイティブユーザに提供する操作環境の一例を説明するための概略図である。
【図７】図７（ａ）〜図７（ｆ）は、操作装置がハイリテラシーユーザに提供する操作環境の一例を説明するための概略図である。
【発明を実施するための形態】
【００１０】
（実施の形態の要約）
実施の形態に係る操作装置は、車両に配置され、操作面になされた操作を受け付ける操作部と、ユーザの特性に応じて少なくとも表示画面の構成と操作部に対する操作方法とを含む操作環境を構成する制御部と、を備えて概略構成されている。
【００１１】
この操作装置は、ユーザの特性に応じて操作環境を変えることができるので、操作環境が変わらない場合と比べて、操作性が向上する。
【００１２】
[実施の形態]
（操作装置１の概要）
以下に記載する実施の形態に係る各図において、図形間の比率は、実際の比率とは異なる場合がある。また図１（ｂ）では、主な信号や情報の流れを矢印で示している。
【００１３】
操作装置１は、図１（ａ）〜図２（ｂ）に示すように、車両８に配置され、操作面３０ａになされた操作を受け付ける操作部２と、ユーザの特性に応じて少なくとも表示画面８７０の構成と操作部２に対する操作方法とを含む操作環境を構成する制御部６と、を備えて概略構成されている。
【００１４】
この操作装置１は、例えば、車両８の車載装置を操作対象装置８９として操作することができるように構成されている。この車載装置とは、一例として、音楽及び映像再生装置、ナビゲーション装置、電動シート装置、クルーズコントロール装置、レーンキープ装置、自動運転装置、車両８に関する各種設定を行うことができる車両制御装置などである。
【００１５】
車両８は、一例として、図１（ａ）に示すように、メータパネル８３に配置されたメータディスプレイ８４、センターコンソール８１ｂに配置されたメインディスプレイ８６、インストルメントパネル８１ｃに配置され、フロントガラス８８の投影領域に表示対象を投影するヘッドアップディスプレイ８７、及びフロントガラス８８に配置されたルームミラーモニタ８８０などの表示装置を備えている。
【００１６】
操作装置１は、これらのうち、少なくとも１つの表示装置に階層式のＧＵＩ（＝Graphical User Interface）の表示画面を表示させるように構成されている。本実施の形態の操作装置１は、例えば、図２（ａ）に示すように、表示装置５としてヘッドアップディスプレイ８７の投影領域にＧＵＩの表示画面を表示させるように構成されている。以下では、投影領域は、表示画面８７０と記載する。このＧＵＩの表示画面８７０には、操作装置１によって制御可能な機能や設定値が画像として表示される。従って操作装置１は、後述する操作部２と表示装置５とが離れた遠隔操作システムである。
【００１７】
表示装置５の表示画面８７０は、図２（ａ）に示すように、メニュー表示領域８７４及びメニュー表示領域８７６と、ダイレクト表示領域８７５及びダイレクト表示領域８７７と、を備えている。
【００１８】
（操作部２の構成）
操作部２は、図１（ｂ）に示すように、タッチパッドユニット２ａ及びタッチパッドユニット２ｂを備えている。
【００１９】
このタッチパッドユニット２ａ及びタッチパッドユニット２ｂは、例えば、図２（ｂ）に示すように、ステアリング８５の左右のスポーク部（スポーク部８５１及びスポーク部８５２）に配置されている。このスポーク部８５１及びスポーク部８５２は、警報機やエアバッグなどが配置された基部８５０と、ユーザが把持するリング部８５３と、を連結するものである。またスポーク部８５１及びスポーク部８５２は、例えば、図２（ｂ）に示すように、車両８が直進する状態のステアリング位置において略水平に伸びて基部８５０とリング部８５３とを連結している。
【００２０】
タッチパッドユニット２ａ及びタッチパッドユニット２ｂは、ユーザがリング部８５３とスポーク部８５１及びスポーク部８５２との連結部分周辺を左手９ａ及び右手９ｂで把持した状態で操作可能となっている。なお操作装置１は、タッチパッドユニット２ａ及びタッチパッドユニット２ｂのいずれか一方を備える構成であっても良い。
【００２１】
タッチパッドユニット２ａ及びタッチパッドユニット２ｂは、それぞれがタッチパッド３及びスイッチ４を備えて概略構成されている。
【００２２】
（タッチパッド３の構成）
タッチパッドユニット２ａのタッチパッド３は、図３（ａ）及び図３（ｂ）に示すように、矩形の操作面３０ａを有する。タッチパッドユニット２ｂのタッチパッド３は、一例として、図３（ｂ）に示すように、タッチパッドユニット２ａのタッチパッド３と同形状とされている。なおタッチパッド３の形状は、これに限定されない。以下では、主にタッチパッドユニット２ａについて説明する。
【００２３】
タッチパッド３は、操作面３０ａに対するタッチ入力、なぞり操作及びフリック操作などを検出するように構成されている。タッチパッド３は、例えば、抵抗膜方式や静電容量方式などのタッチパッドを用いることが可能である。本実施の形態のタッチパッド３は、一例として、静電容量方式のタッチパッドを用いている。左右のタッチパッド３は、検出した結果を示す検出情報Ｓ１及び検出情報Ｓ３を制御部６に出力する。
【００２４】
ユーザは、例えば、タッチパッド３に対してプッシュ操作を行うことによって選択の決定（選択決定）を行うことができる。
【００２５】
タッチパッド３の操作面３０ａは、例えば、図３（ａ）及び図３（ｂ）の紙面において点線によってメニュー入力領域３０１とダイレクト入力領域３０２とに分かれている。なお図３（ａ）及び図３（ｂ）に示す点線は、説明のために付された線であって実際に付された線ではない。このメニュー入力領域３０１とダイレクト入力領域３０２を分かつ線は、印刷などで操作面３０ａに形成されても良い。またダイレクト入力領域３０２のマークは、操作可能な機能を模して示したものであり、印刷によって操作面３０ａに設けられている。
【００２６】
ここで右側のタッチパッド３は、図３（ａ）及び図３（ｂ）に示すように、左側のタッチパッド３とメニュー入力領域３０１とダイレクト入力領域３０２とが入れ替わった配置となっている。つまりステアリング８５のリング部８５３側には、ダイレクト入力領域３０２が設定され、基部８５０側には、メニュー入力領域３０１が設定されている。これはステアリング８５を把持した状態でタッチ入力し易い位置にダイレクト入力領域３０２を配置し、操作指を伸ばしてなぞり操作し易い位置にメニュー入力領域３０１を配置したためである。
【００２７】
タッチパッドユニット２ａのタッチパッド３のメニュー入力領域３０１は、図２（ａ）及び図３（ａ）に示すように、表示画面８７０のメニュー表示領域８７４に表示されたリスト８７４Ａを上下にスクロールさせることができる領域である。またタッチパッドユニット２ｂのタッチパッド３のメニュー入力領域３０１は、図２（ａ）及び図３（ｂ）に示すように、表示画面８７０のメニュー表示領域８７６に表示されたリスト８７６Ａを上下にスクロールさせることができる領域である。
【００２８】
タッチパッドユニット２ａのタッチパッド３のダイレクト入力領域３０２は、図２（ａ）及び図３（ａ）に示すように、第１のタッチ領域３０２ａ〜第３のタッチ領域３０２ｃが表示画面８７０のダイレクト表示領域８７５に表示されたアイコン８７５ａ〜アイコン８７５ｃに対応している。ユーザは、タッチパッドユニット２ａ側のダイレクト入力領域３０２のタッチ領域にタッチ入力を行うことでアイコン８７５ａ〜アイコン８７５ｃの中から所望のアイコンを選択することができる。
【００２９】
アイコン８７５ａは、左側のタッチパッド３を介して指示した処理がなされた場合、処理がなされる前の状態に戻ることができる機能が割り付けられている。アイコン８７５ｂは、音量を上げる機能が割り付けられている。アイコン８７５ｃは、音量を下げる機能が割り付けられている。
【００３０】
タッチパッドユニット２ｂのタッチパッド３のダイレクト入力領域３０２は、図２（ａ）及び図３（ｂ）に示すように、第１のタッチ領域３０２ｄ〜第３のタッチ領域３０２ｆが表示画面８７０のダイレクト表示領域８７７に表示されたアイコン８７７ａ〜アイコン８７７ｃに対応している。ユーザは、タッチパッドユニット２ｂのタッチパッド３のダイレクト入力領域３０２の第１のタッチ領域３０２ｄ〜第３のタッチ領域３０２ｆのいずれかにタッチ入力を行うことでアイコン８７７ａ〜アイコン８７７ｃの中から所望のアイコンを選択することができる。
【００３１】
アイコン８７７ａは、右側のタッチパッド３を介して指示した処理がなされた場合、処理がなされる前の状態に戻ることができる機能が割り付けられている。アイコン８７７ｂは、運転補助機能であるオートクルーズコントロール機能が割り付けられている。アイコン８７７ｃは、運転補助機能であるレーンキープアシスト機能が割り付けられている。
【００３２】
制御部６は、タッチパッド３のダイレクト入力領域３０２に対してタッチ入力に適した絶対座標系を設定する。また制御部６は、表示装置５の表示に応じてメニュー入力領域３０１に対して相対座標系又は絶対座標系を設定する。制御部６は、画面遷移に応じて、なぞり操作が適した表示である場合、相対座標系をメニュー入力領域３０１に設定し、タッチ入力が適した表示である場合、絶対座標系をメニュー入力領域３０１に設定する。
【００３３】
（スイッチ４の構成）
スイッチ４は、図３（ａ）及び図３（ｂ）に示すように、操作面３０ａの中央付近に配置されている。このスイッチ４は、タッチパッド３の押し下げ、つまり操作面３０ａになされたプッシュ操作を検出するマイクロスイッチである。
【００３４】
スイッチ４は、マイクロスイッチのような機械式スイッチに限定されず、磁気センサなどを用いた非接触スイッチやプッシュ操作に伴う荷重を検出することでプッシュ操作を検出する荷重センサなどであっても良い。
【００３５】
タッチパッドユニット２ａのスイッチ４は、スイッチ信号Ｓ２を制御部６に出力する。またタッチパッドユニット２ｂのスイッチ４は、スイッチ信号Ｓ４を制御部６に出力する。
【００３６】
（表示装置５の構成）
表示装置５は、有機ＥＬ（＝Electro-Luminescence）ディスプレイ、液晶ディスプレイやヘッドアップディスプレイなどである。本実施の形態の表示装置５は、上述のように、ヘッドアップディスプレイ８７である。
【００３７】
ヘッドアップディスプレイ８７の表示画面８７０は、図２（ａ）に示すように、左表示領域８７１、右表示領域８７２及び中央表示領域８７３を有している。
【００３８】
左表示領域８７１は、ステアリング８５の左側に配置されたタッチパッド３に対応した表示領域である。この左表示領域８７１は、メニュー表示領域８７４と、ダイレクト表示領域８７５と、を備えている。
【００３９】
メニュー表示領域８７４は、タッチパッドユニット２ａのメニュー入力領域３０１になされた操作に基づいてメニュー、アイコン及びカーソルなどを表示する領域である。
【００４０】
ダイレクト表示領域８７５は、タッチパッドユニット２ａのダイレクト入力領域３０２の第１のタッチ領域３０２ａ〜第３のタッチ領域３０２ｃに対応する表示を行う領域である。
【００４１】
右表示領域８７２は、ステアリング８５の右側に配置されたタッチパッド３に対応した表示領域である。この右表示領域８７２は、メニュー表示領域８７６と、ダイレクト表示領域８７７と、を備えている。
【００４２】
メニュー表示領域８７６は、タッチパッドユニット２ｂのメニュー入力領域３０１になされた操作に基づいてメニュー、アイコン及びカーソルなどを表示する領域である。
【００４３】
ダイレクト表示領域８７７は、タッチパッドユニット２ｂのダイレクト入力領域３０２の第１のタッチ領域３０２ｄ〜第３のタッチ領域３０２ｆに対応する表示を行う領域である。
【００４４】
ユーザは、左右のタッチパッド３のメニュー入力領域３０１に操作を行うことにより、メニュー表示領域８７４及びメニュー表示領域８７６に表示されたアイコンの選択及び決定、メニューのスクロール、カーソルの操作などを行うことができる。
【００４５】
またユーザは、左右のタッチパッド３のダイレクト入力領域３０２に操作を行うことにより、ダイレクト表示領域８７５及びダイレクト表示領域８７７に表示されたアイコンを選択、決定することができる。
【００４６】
中央表示領域８７３は、操作部２によって選択、決定された機能に関する画像８７３ａが表示される。
【００４７】
（制御部６の構成）
制御部６は、例えば、記憶されたプログラムに従って、取得したデータに演算、加工などを行うＣＰＵ（＝Central Processing Unit）、半導体メモリであるＲＡＭ（＝Random Access Memory）６１及びＲＯＭ（＝Read Only Memory）などから構成されるマイクロコンピュータである。このＲＯＭには、例えば、制御部６が動作するためのプログラムが格納されている。ＲＡＭ６１は、例えば、一時的に演算結果などを格納する記憶領域として用いられる。またＲＡＭ６１は、操作対象装置８９から取得した、表示装置５に表示させる画像の情報である画像情報８９０を記憶する。またＲＡＭ６１には、一例として、操作環境情報６１０が記憶されている。
【００４８】
制御部６は、取得した画像情報８９０に基づいて表示制御情報Ｓ５を生成して表示装置５を制御する。表示装置５は、表示制御情報Ｓ５に基づいて画像を表示させる。本実施の形態の表示装置５は、ヘッドアップディスプレイ８７であるので、表示制御情報Ｓ５に基づいて表示画面８７０に画像を表示する。
【００４９】
また操作環境情報６１０は、例えば、ユーザの特性ごとの操作環境に関する情報である。制御部６は、操作環境情報６１０に基づいて操作環境を構成する。なおユーザの特性は、例えば、ユーザ自身が選択して定めても良いし、車両制御装置がユーザの操作などの解析から定めても良いし、車両８を販売した販売店や製造元によって定められても良い。
【００５０】
また制御部６は、タッチパッド３になされた操作、及びスイッチ４になされた操作に基づいて操作情報Ｓ６を生成し、操作対象装置８９に出力する。
【００５１】
制御部６は、ユーザの特性に応じて操作環境を機能制限ありとなしを与える。制御部６は、機能制限ありの場合、機能が制限されるのは、目的限定、操作内容限定である。また制御部６は、機能制限なしの場合、登録及び削除を行うことができる。
【００５２】
以下では、ユーザの特性ごとの操作環境や機能制限ありとなしの一例について説明する
【００５３】
・エントリーユーザについて
制御部６は、車両８の機能に関する認知が低いユーザに対しては、表示画面８７０の構成を認知し易い文字メニューを中心とした操作環境を構成する。本実施の形態では、このユーザをエントリーユーザと記載する。
【００５４】
エントリーユーザは、一例として、車両８の機能についての知識が少ないことによる操作への不安を抱いているユーザである。従って操作環境は、図４（ａ）〜図４（ｄ）に示すように、機能認知を促進させる文言の項目からなるメニュー（メニュー８７８ａ、メニュー８７８ｃ及びメニュー８７８ｄ）、機能を絞った操作負荷が少ない表示画面８７８ｂなどから構成される。
【００５５】
図４（ａ）は、メニュー８７８ａが文言の項目８７４ａによって構成されている。このメニュー８７８ａは、操作面３０ａになぞり操作を行ったり、スワイプ操作を行ったりすることでスクロール可能であり、プッシュ操作で割り当てられた機能を実行させることができる。
【００５６】
図４（ｂ）は、４つのアイコン８７４ｂによって構成されている。このアイコン８７４ｂは、メニュー入力領域３０１が絶対座標系となってスイッチのように構成され、対応する領域にプッシュ操作を行うことで割り当てられた機能が実行される。
【００５７】
図４（ｃ）は、メールの文言が定型文８７４ｃとして表示されている。ユーザは、図４（ｄ）に示すように、この定型文８７４ｃから選択した定型文を用いて生成された送信文８７４ｄを送信することができる。
【００５８】
・シニアユーザについて
制御部６は、認知能力が低下しているユーザに対しては、操作部２に対する単機能ボタンのみで操作可能な操作環境を構成する。本実施の形態では、このユーザをシニアユーザと記載する。
【００５９】
シニアユーザは、身体能力の衰えで今までできたことができなくなってきたユーザである。従って操作環境は、新たに学習コストをかけさせないよう、スイッチなどのシンプルな操作環境とされる。
【００６０】
図５（ａ）及び図５（ｂ）では、機能がアイコン８７４ｅとして表示されている。これは、エントリーユーザの図４（ｂ）に示すアイコン８７４ｂと同様に操作面３０ａに対するプッシュ操作によって割り当てられた機能が実行される。
【００６１】
・デジタルネイティブユーザについて
制御部６は、効率的な操作を求めるユーザに対しては、タスクが書き込まれた複数のカードを利用した操作環境を構成する。本実施の形態では、このユーザをデジタルネイティブユーザと記載する。
【００６２】
デジタルネイティブユーザには、例えば、図６（ａ）〜図６（ｄ）に示すように、複数のカード（表示画面）を表示させて所望のタスクを素早く操作する操作環境を構成する。
【００６３】
図６（ａ）は、第１の表示画面８７８ｆの右側と上側に起点画像８７４ｇ及び起点画像８７４ｈが表示され、２種類の表示画像、つまり２種類のカードを引き出すことができる。この第１の表示画面８７８ｆには、再生対象となる項目がリスト８７４ｆとして表示されている。他の曲は、スクロールによって表示される。
【００６４】
この第２の表示画面８７８ｇを上端から引き出す操作は、図６（ｂ）に示すように、スクロール方向と同じである。しかしユーザは、起点画像８７４ｈを目安としてタッチパッド３の上端から下端に向かってなぞり操作を行うことができるので、誤ってリスト８７４ｆがスクロールされることを抑制することができる。
【００６５】
この第２の表示画面８７８ｇは、図６（ｃ）に示すように、機能が割り当てられた画像として「オーディオ」、「ナビ」及び「エアコン」の項目８７４ｉが縦に並んでリスト８７４ｊを構成している。また下端には、起点画像８７４ｎが表示されている。
【００６６】
図６（ｄ）は、図６（ａ）に示す起点画像８７４ｇを目安としてタッチパッド３のメニュー入力領域３０１の右端から左方向になされたなぞり操作やフリック操作によって引き出された第２の表示画面８７８ｈとしてのタスクマネージャー画面を示している。このタスクマネージャー画面には、メニュー８７４ｏが表示されている。またタスクマネージャー画面は、タッチパッド３のメニュー入力領域３０１の左端から右方向のなぞり操作やフリック操作によって戻す、つまり非表示とすることができる。
【００６７】
このようにデジタルネイティブユーザは、カードで構成されたタスクを渡り歩き、既存の機能の制約に捉われずに効率的な操作環境を構成する。
【００６８】
・ハイリテラシーユーザについて
制御部６は、自分なりの操作環境を作りたいユーザに対しては、カスタマイズ可能な操作環境を構成する。本実施の形態では、このユーザをハイリテラシーユーザと記載する。
【００６９】
ハイリテラシーユーザは、なんでも使いこなせ、自分にとってより良い方法を求めるので、項目などの登録や削除を行って自由にカスタマイズできる操作環境を構成する。
【００７０】
図７（ａ）は、ハイリテラシーユーザ向けのメニュー画面である第１の表示画面８７８Ａを示している。この第１の表示画面８７８Ａには、リスト８７４Ａと起点画像８７４Ｂが表示されている。ハイリテラシーユーザは、この起点画像８７４Ｂを目安にしてタッチパッド３の操作面３０ａの右端から左方向になぞり操作を行う。その結果、図７（ｂ）に示す第２の表示画面８７８Ｂが表示される。
【００７１】
図７（ｂ）に示す第２の表示画面８７８Ｂには、「Ａ曲を再生」、「自宅に戻る」及び「風量調整」の項目８７４ｌを有するリスト８７４ｋと起点画像８７４Ｃが表示されている。ユーザは、図７（ｃ）に示すように、親指９０によって操作面３０ａを上下になぞり、所望の項目を選択状態とする。
【００７２】
次にユーザは、所望の項目が選択状態となると、操作面３０ａに長押し操作又は長タッチ操作を行う。この長押し操作は、親指９０を一定時間以上、操作面３０ａに押し付ける操作である。長タッチ操作とは、親指９０を一定時間以上、操作面３０ａに接触させる操作である。登録モードに移行した場合、図７（ｄ）に示すように、登録可能な項目の周囲に枠が表示される。
【００７３】
ユーザは、この長押し操作又は長タッチ操作が受け付けられて登録が可能となる登録モードとなると、図７（ｅ）に示すように、操作がし易い親指９０を引く操作を行う。制御部６は、図７（ｆ）に示すように、この親指９０を引く操作に基づいてリスト８７４ｍの「自宅に戻る」の項目８７４ｌをメニュー画面に登録する。なお項目８７４ｌの削除は、親指９０を伸ばす操作によって行われる。
【００７４】
またユーザは、図７（ｂ）などに表示される起点画像８７４Ｃを目安にしてタッチパッド３のメニュー入力領域３０１の左端から右方向になぞり操作を行うと、図７（ａ）に示すメニュー画面に戻ることができる。
【００７５】
このように、ハイリテラシーユーザは、自身の操作履歴から操作負荷を少なくまた効率的に操作するため、自分なりの操作環境をカスタマイズする。
【００７６】
以上説明したように、操作装置１は、ユーザの特性に応じて操作環境を構成し、ユーザに提供することができる。
【００７７】
以下では、操作装置１の動作の一例について説明する。
【００７８】
（動作）
操作装置１の制御部６は、車両８にユーザが乗車した後、特性を判定する。このユーザの特性は、ユーザが保持する電子キーから特性に関する情報を取得しても良いし、事前に車両８に登録されていても良い。
【００７９】
制御部６は、判定したユーザの特性に基づいて特性情報６１０から特性に応じた操作環境を読み出し、設定する。
【００８０】
（実施の形態の効果）
本実施の形態に係る操作装置１は、ユーザの特性に適した操作環境を提供することができるので、この構成を採用しない場合と比べて、操作性が良い。
【００８１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８２】
１…操作装置、２…操作部、２ａ，２ｂ…タッチパッドユニット、３…タッチパッド、４…スイッチ、５…表示装置、６…制御部、８…車両、９ａ…左手、９ｂ…右手、３０ａ…操作面、８１ｂ…センターコンソール、８１ｃ…インストルメントパネル、８３…メータパネル、８４…メータディスプレイ、８５…ステアリング、８６…メインディスプレイ、８７…ヘッドアップディスプレイ、８８…フロントガラス、８９…操作対象装置、９０…親指、３０１…メニュー入力領域、３０２…ダイレクト入力領域、３０２ａ〜３０２ｃ…第１のタッチ領域〜第３のタッチ領域、３０２ｄ〜３０２ｆ…第１のタッチ領域〜第３のタッチ領域、６１０…操作環境情報、８５０…基部、８５１，８５２…スポーク部、８５３…リング部、８７０…表示画面、８７１…左表示領域、８７２…右表示領域、８７３…中央表示領域、８７３ａ…画像、８７４…メニュー表示領域、８７４Ａ…リスト、８７４Ｂ，８７４Ｃ…起点画像、８７４ａ…項目、８７４ｂ…アイコン、８７４ｃ…定型文、８７４ｄ…送信文、８７４ｅ…アイコン、８７４ｆ…リスト、８７４ｇ，８７４ｈ…起点画像、８７４ｉ…項目、８７４ｊ，８７４ｋ…リスト、８７４ｌ…項目、８７４ｍ…リスト、８７５…ダイレクト表示領域、８７５ａ〜８７５ｃ…アイコン、８７６…メニュー表示領域、８７６Ａ…リスト、８７７…ダイレクト表示領域、８７７ａ〜８７７ｃ…アイコン、８７８Ａ…第１の表示画面、８７８Ｂ…第２の表示画面、８７８ａ…メニュー、８７８ｂ…表示画面、８７８ｃ，８７８ｄ…メニュー、８７８ｆ…第１の表示画面、８７８ｇ…第２の表示画面、８７８ｆ…第２の表示画面、８８０…ルームミラーモニタ、８９０…画像情報
【図１】
2020157925.tif 000003
【図２】
2020157925.tif 000004
【図３】
2020157925.tif 000005
【図４】
2020157925.tif 000006
【図５】
2020157925.tif 000007
【図６】
2020157925.tif 000008
【図７】
2020157925.tif 000009